(57)【特許請求の範囲】
【請求項１】
平均粒径（電子顕微鏡観察値）が０．０１〜１０μｍの粒子を０．０１〜５重量％含有するポリエチレンテレフタレートからなる一軸延伸高分子フィルムであって、下記式（１）で表されるコントラスト（Ｃ）の値が７０〜２０００であり、かつリターデーション値が１０００ｎｍ以上であり、さらにヘイズが１０．０〜２５．０％であることを特徴とする高分子フィルム。
Ｃ＝Ｙ１／Ｙ２・・・（１）
（ここで、Ｃはコントラスト、Ｙ１は２つの偏光子の光軸を平行状態にし、高分子フィルムをその２つの偏光子の間に挿入したときの透過光量、Ｙ２は２つの偏光子の光軸を直交状態にし、高分子フィルムをその２つの偏光子の間に挿入したときの透過光量を示す。）
【請求項２】
１２０℃における熱収縮率が５．０％以下であることを特徴とする請求項１記載の高分子フィルム。
【請求項３】
請求項１または２記載の高分子フィルムの片面に粘着剤層を積層していることを特徴とする表面保護フィルム。
【請求項４】
高分子フィルムの粘着剤層側とは反対面に、帯電防止層を積層していることを特徴とする請求項３記載の表面保護フィルム。
【請求項５】
粘着剤層と高分子フィルムの間に帯電防止層を積層していることを特徴とする請求項３記載の表面保護フィルム。
【請求項６】
請求項１または２記載の高分子フィルムの片面に離型層を積層していることを特徴とする表面保護フィルム。
【請求項７】
高分子フィルムの離型層側とは反対面に、帯電防止層を積層していることを特徴とする請求項６記載の表面保護フィルム。
【請求項８】
離型層と高分子フィルムの間に帯電防止層を積層していることを特徴とする請求項６記載の表面保護フィルム。
【請求項９】
請求項６記載の離型層が、シリコーン樹脂及び／又はフッ素樹脂を主たる構成成分とすることを特徴とする表面保護フィルム。
【請求項１０】
請求項９記載のシリコーン樹脂が、熱硬化型シリコーン樹脂または放射線硬化型シリコーン樹脂を主たる構成成分とすることを特徴とする表面保護フィルム。
【発明の詳細な説明】
【０００１】
【発明の属する技術分野】
本発明は、合成樹脂板などの表面保護、特に偏光板や位相差板などの液晶表示装置の構成部材のプロテクトフィルムやセパレーターとして好適に用いられる高分子フィルム及びこれを用いた表面保護フィルムに関する。
【０００２】
【従来の技術】
液晶表示装置は、一般的には、バックライト側から、偏光板、液晶セル、偏光板を積層することにより構成されている。さらには、表示モードや視野角を改善する目的で、位相差板等の各種補償板が挿入される。この偏光板や位相差板の積層には、通常は粘着剤層付きの偏光板、あるいは粘着剤層付きの位相差板を対象物に貼り合わせることにより行われている。
【０００３】
上記の偏光板は、偏光膜をトリアセチルセルロースでサンドイッチした構成からなり、通常その片面に貼り合わせ用の粘着剤層が設けられている。さらに、偏光板のトリアセチルセルロースは耐擦傷性や耐湿性が劣るため、取扱中や液晶表示装置の作製工程中の損傷、湿気、あるいはほこりの付着を防ぐ目的で、両面に表面保護フィルムが設けられる。偏光板の粘着剤層を設けた面とは反対面には粘着剤層を積層した表面保護フィルム（プロテクトフィルム）が、また粘着剤層側には離型層を積層した表面保護フィルム（セパレーター）が使用される。
【０００４】
また、位相差板等の各種補償板も通常その片面に貼り合わせ用の粘着剤層が設けられており、取扱中や液晶表示装置の作製工程中の損傷、ほこりの付着を防ぐ目的で、上記偏光板と同様に、各種補償板の両面に表面保護フィルム（プロテクトフィルムおよびセパレーター）が使用されている。
【０００５】
そして、偏光板、位相差板等を液晶セルに貼り合わせる際には、表面保護フィルムは剥離除去されて用いられる。
【０００６】
従来、前記の粘着剤層が積層された表面保護フィルム（プロテクトフィルム）としては、ポリエチレンフィルムやエチレン−酢酸ビニル共重合体フィルム等の熱圧着タイプのもの、粘着剤層を設けたポリエステルフィルム等の感圧接着タイプのものが使われている。
【０００７】
また、従来の離型層が積層された表面保護フィルム（セパレーター）としては、ポリエステル、ポリプロピレン等の二軸延伸されたフィルムの少なくとも片面にシリコーン等の離型剤を塗布したものが使用されている。
【０００８】
【発明が解決しようとする課題】
作製した液晶表示装置の構成部材等は、表示能力、色相、コントラスト等の評価のために、適時に検査を行うのが通例である。ところが、従来から汎用されている表面保護フィルムは、それらの基材が異方性を有するため、このような表面保護フィルムが貼り付けられた構成部材について、光学的評価を伴う検査には支障となるので、検査に先立ち一旦この表面保護フィルムを剥離除去し、検査終了後にもう一度新しい表面保護フィルムを貼り直すことが行われる。新しい表面保護フィルムで貼り直すのは、表面保護フィルムが再貼着可能でも再貼着すると美麗さが損なわれるからである。
【０００９】
上述の検査において、表面保護フィルムの剥離および再貼着は、工程に２工程を要し、極限までコストダウンが追求されるこの分野においては、大きな支障となる。
【００１０】
上記の従来の問題点を解消し、表面保護フィルムを被覆したまま粘着剤層が設けられた偏光板または位相差板の検査を行う試みとして、例えば、特開平４−３０１２０号公報等には、ポリカーボネート、ポリアリレート等の光等方性基材の片面に粘着性樹脂層を設けた表面保護フィルム等が、また、特開平６−１４８４３１号公報には、ポリエステル、ポリプロピレン等の無配向フィルムからなる基材の少なくとも片面に離型層が設けられた表面保護フィルムが、また、特開平７−１０１０２６号公報において二軸配向ポリエステルフィルムの配向主軸の方向を偏光板または位相差板の配向軸の方向と実質的に同じにするか、９０°となるように積層する方法が提案されている。
【００１１】
このような無配向フィルムは光等方性を有することから、検査時に剥離を要しないという大きな利点を有するが、通常の溶融押出し法では、配向を抑えることが困難であるため、流延法のような製法を用いる必要があり、基材フィルム自体が高価なものになるため、最終的に剥離除去される表面保護フィルムには、ほとんど使われていないのが現状である。
【００１２】
また、本発明者らは、これらの問題点を解決する方法として、特願平１１−１１８６８５号において、コントラストの最低値が７０以上を有する高分子フィルムにより上記問題点が解決でき、特に一軸延伸高分子フィルムを用いた場合にはその効果が顕著となることを見出した。この方法は検査時に剥離を必要とせず、検査性が良好で、低コストとなるような表面保護フィルムが得られる。しかしながら、前記高分子フィルムはコントラストが高すぎるため、高分子フィルム自身の傷、異物が存在した場合、偏光板の検査時にフィルム起因の欠点が目立ち、偏光板の検査をしているのか表面保護フィルムの検査をしているのか分からなくなり、かえって偏光板の検品の効率が低下するという新たな問題点が生じてきた。
【００１３】
そのため、表面保護フィルムの傷を高度なレベルまで低減すること（大きな傷のみならず、微小な傷も可能な限り少なくすること）が必要となり、低コストが要望される本用途では歩留まりの低下が余儀なくされる場合がある。
【００１４】
すなわち、本発明の目的は、前記従来の問題点を解決し、液晶表示装置の構成部材等に貼り付けて使用する際、検査時に剥離を必要とせず、検査性が良好な表面保護フィルム、及びその基材となる高分子フィルムを提供することにある。
【００１５】
本発明者らは、上記課題を解決するために鋭意検討した結果、コントラストの値
が７０〜２０００であり、かつリターデーション値１０００ｎｍ以上であり、さらにヘイズが１０．０〜２５．０％の、平均粒径（電子顕微鏡観察値）が０．０１〜１０μｍの粒子を０．０１〜５重量％含有するポリエチレンテレフタレートからなる一軸延伸高分子フィルムを表面保護フィルムの基材フィルムとして使用することで、液晶表示装置の構成部材等の検査時に剥離を必要とせず、検査性が良好となることを見いだし、本発明に至った。
【００１６】
即ち、本発明は以下の通りである。
１．平均粒径（電子顕微鏡観察値）が０．０１〜１０μｍの粒子を０．０１〜５重量％含有するポリエチレンテレフタレートからなる一軸延伸高分子フィルムであって、下記式（１）で表されるコントラスト（Ｃ）の値が７０〜２０００であり、かつリターデーション値が１０００ｎｍ以上であり、さらにヘイズが１０．０〜２５．０％であることを特徴とする高分子フィルム。
Ｃ＝Ｙ１／Ｙ２・・・（１）
（ここで、Ｃはコントラスト、Ｙ１は２つの偏光子の光軸を平行状態にし、高分子フィルムをその２つの偏光子の間に挿入したときの透過光量、Ｙ２は２つの偏光子の光軸を直交状態にし、高分子フィルムをその２つの偏光子の間に挿入したときの透過光量を示す。）
【００１７】
２．１２０℃における熱収縮率が５．０％以下であることを特徴とする前記１記載の高分子フィルム。
【００２１】
３．前記１または２記載の高分子フィルムの片面に粘着剤層を積層していることを特徴とする表面保護フィルム。
【００２２】
４．高分子フィルムの粘着剤層側とは反対面に、帯電防止層を積層していることを特徴とする前記３記載の表面保護フィルム。
【００２３】
５．粘着剤層と高分子フィルムの間に帯電防止層を積層していることを特徴とする前記３記載の表面保護フィルム。
【００２４】
６．前記１または２記載の高分子フィルムの片面に離型層を積層していることを特徴とする表面保護フィルム。
【００２５】
７．高分子フィルムの離型層側とは反対面に、帯電防止層を積層していることを特徴とする前記６記載の表面保護フィルム。
【００２６】
８．離型層と高分子フィルムの間に帯電防止層を積層していることを特徴とする前記６記載の表面保護フィルム。
【００２７】
９．前記６記載の離型層が、シリコーン樹脂及び／又はフッ素樹脂を主たる構成成分とすることを特徴とする表面保護フィルム。
【００２８】
１０．前記９記載のシリコーン樹脂が、熱硬化型シリコーン樹脂または放射線硬化型シリコーン樹脂を主たる構成成分とすることを特徴とする表面保護フィルム。
【００２９】
【発明の実施の形態】
以下、本発明を詳細に説明する。
本発明の高分子フィルムは、コントラスト（Ｃ）の値が７０〜２０００であり、かつリターデーション値が１０００ｎｍ以上であり、さらにヘイズが１０．０〜２５．０％である高分子フィルムであり、以下の方法によって製造することができる。但し、この方法に限定されるものではない。
【００３０】
本発明の高分子フィルムとは、有機高分子を溶融押出して、長手方向または幅方向に一軸延伸し、必要に応じ、冷却、熱固定を施したフィルムであり、有機高分子としては、不純物が少なく透明性、機械的性質、表面平滑性、耐溶剤性、耐スクラッチ性、非透湿性、コストなどの総合性能から、ポリエチレンテレフタレートを使用する。
【００３２】
本発明の高分子フィルムは、常法により製膜することにより得ることができる。なかでも、ホモポリマーあるいはコポリマーの融液あるいは溶液を、押出法、カレンダー法や流延法などによりフィルム状に成形し、次いで、ロール法、テンター法、チューブラー法などにより縦あるいは横方向に一軸延伸する方法が好適である。しかしながら、本発明のフィルム特性の範囲を満足すれば、二軸延伸してもかまわない。
【００３３】
本発明の高分子フィルム中には、本発明の効果が損なわれない範囲で、各種の添加剤、例えば酸化防止剤、耐熱安定剤、耐候安定剤、紫外線吸収剤、有機潤滑剤、顔料、染料、有機または無機の微粒子、充填剤、帯電防止剤、核剤などを配合しても良い。
【００３４】
フィルム中に含有させる無機粒子としては、シリカ、コロイダルシリカ、アルミナ、アルミナゾル、アルミノシリケート、アルミナ−シリカ複合酸化物、カオリン、タルク、マイカ、炭酸カルシウム、リン酸カルシウム等を代表的なものとして用いることができる。また、有機粒子としては架橋ポリアクリル酸粒子、架橋ポリスチレン粒子、架橋ポリメチルメタクリレート粒子、シリコン樹脂粒子、ポリイミド粒子などの耐熱性樹脂粒子を用いることができる。
【００３５】
本発明の高分子フィルムにおいては、下記式（１）で表されるコントラスト（Ｃ）の値は７０〜２０００であることが必要であり、好ましくは１００〜１５００であり、特に好ましくは３００〜１２００である。前記コントラストの値が７０未満の高分子フィルムでは、検査時に検体中の異物の発見、表示能力の確認等に支障をきたす。また、前記コントラストの値が２０００を超える高分子フィルムでは、コントラストが高いため、検査時の検体中の欠点が通常問題とならないものまで過剰に発見され、かえって検査効率を低下させる。
【００３６】
Ｃ＝Ｙ１／Ｙ２・・・（１）
（ここで、Ｃはコントラスト、Ｙ１は２つの偏光子の光軸を平行状態にし、高分子フィルムをその２つの偏光子の間に挿入したときの透過光量、Ｙ２は２つの偏光子の光軸を直交状態にし、高分子フィルムをその２つの偏光子の間に挿入したときの透過光量を示す。）
【００３７】
本発明においてコントラストの値とは、以下の方法により測定されるものである。まず、フィルム形状がロール状の場合は、長手方向に５００ｍｍ、幅方向には全幅の長方形を切り出す。そして、図８に示すように、同一端辺を含む幅方向（テンター方向）に１００ｍｍ四方の正方形を該長方形の２頂点およびその中心を含む３箇所以上で切り出す。図８において、２１は長手方向、２２は幅方向、２３は端辺、２４は頂点、２５は頂点の中心である。次に、２つの偏光子の光軸を平行の状態にし、予めどちらかの偏光子の偏光方向と底辺を正確に平行にしたサンプルホルダーへ１００ｍｍ四方のフィルムサンプルを設置し、２つの偏光子およびフィルムサンプルを透過してきた光の透過光量を測定する。同様に、２つの偏光子の光軸を直交の状態にしたときの透過光量を測定し、各フィルムサンプルごとのコントラストを上記式（１）に従い計算する。この様にして得られた各フィルムサンプルごとのコントラストの値を、ここで言う「コントラストの値」と定義する。
【００３８】
本発明において、高分子フィルムのコントラストの値を７０〜２０００の範囲とするためには、フィルム中に含有させる粒子の平均粒径（電子顕微鏡観察値）は、０．０１〜１０μｍが好ましく、より好ましくは０．０５〜８μｍであり、最も好ましくは０．１〜５μｍである。
【００３９】
また、高分子フィルム中の粒子の含有量は、０．０１〜５重量％が好ましく、特に好ましくは０．０５〜２重量％である。
【００４０】
また、後述するように、横延伸後熱固定処理を行う前に、フィルムを長手方向に９０〜２００℃で１〜１０％の弛緩処理を行う方法、１００〜２５０℃で熱固定処理する方法、熱固定処理後幅方向、長手方向に１〜１０％で弛緩処理する方法なども、本発明で規定したコントラスト値を得るのに好適である。
【００４１】
また、本発明の高分子フィルムは、リターデーション値が１０００ｎｍ以上、好ましくは５０００ｎｍ以上であることが必要である。リターデーション値が１０００ｎｍ以上であれば検査上問題とならない。さらに、５０００ｎｍ以上であれば、可視光領域において干渉縞の間隔が十分広がるため、光学的に等方であるのと同様となりさらに好ましい。しかし、１０００ｎｍ未満の場合には、視角により干渉が現われ易くなり、検査精度が低下する。
【００４２】
本発明において、リターデーション値とは、フィルム上の直交する二軸の屈折率の異方性（△Ｎ＝｜Ｎｘ−Ｎｙ｜）とフィルム厚みｄ（ｎｍ）との積（△Ｎ×ｄ）で定義されるパラメーターである。
【００４３】
リターデーション値を大きくするためには、上記定義より、二軸の屈折率の異方性（△Ｎ）を大きくするか、フィルム厚み（ｄ）を大きくすることが必要である。高分子フィルムの厚さは、特に限定するものではないが、用途や作業性を考慮すると、３００μｍ以下に設定するのが好適である。フィルム厚さが３００μｍを越えると、薄いという高分子フィルムの利点がなくなる。
【００４４】
したがって、薄いという高分子フィルムの利点を維持し、かつリターデーション値を大きくするには、二軸の屈折率の異方性（△Ｎ）を大きくすればよい。そのためには、一軸方向のみに延伸することが好ましい。一軸方向のみに延伸すると、その方向の屈折率（ＮｙまたはＮｘ）は大きくなり、当該方向と直行する方向の屈折率（ＮｘまたはＮｙ）はほとんど変化しないため、二軸の屈折率の異方性（△Ｎ）は大きくなる。また、二軸延伸の場合には、一軸のみ延伸を強化したテンシライズドフィルムが好ましい。延伸条件としては、一軸方向の延伸張力を他の直行方向の軸よりも高めるよう延伸倍率を高くする、あるいは延伸温度を低くすることにより、二軸の屈折率の異方性（△Ｎ）を大きくすることができる。
【００４５】
また、本発明の高分子フィルムは、ヘイズが１０．０％〜２５．０％であることが必要であり、好ましくは１２．０〜２０．０％である。ヘイズが２５．０％を超えると、高分子フィルムを光が透過する際の散乱光が増大するため、透過光量が増加し、結果的にコントラストを低下させるため好ましくない。また、透過光による目視検品での欠点検出精度も低下するため好ましくない。一方、１０％未満では、コントラストが高くなり、検査時の検体中の欠点が通常問題とならないものまで過剰に発見され、かえって検査効率を低下させる。
【００４６】
本発明においては、高分子フィルムのヘイズを上記範囲とする方法としては、延伸倍率を２．５〜６．０倍、特に３．０〜５．５倍とする方法が好ましい。また、フィルム中に含有する粒子の平均粒径は、０．０１〜１０μｍが好ましく、より好ましくは０．０５〜８μｍであり、最も好ましくは０．１〜５μｍである。また、高分子フィルム中の粒子含有量は、０．０１〜５重量％が好ましく、特に好ましくは０．０５〜２重量％である。
【００４７】
また、高分子フィルムは、単層構造のみならず、積層構造であっても良い。特に、不活性粒子によりヘイズ値の増加を行う場合には、不活性粒子による高分子フィルムへの表面性の低下、傷の発生等の悪影響を考慮すると、表面層よりも厚みの大きい中心層に不活性粒子の含有量を多くした、少なくとも３層からなる積層フィルムが好適である。
【００４８】
本発明の高分子フィルムは、１２０℃における熱収縮率が５．０％以下であることが好ましく、特に好ましくは２．０％以下である。熱収縮率が５．０％を超えると、粘着剤層、帯電防止層の形成時等の加熱を伴うプロセスを通過したときに、平面性の乱れ、カール等を生じるため好ましくない。
【００４９】
本発明において、高分子フィルムの１２０℃における熱収縮率を上記範囲とする方法としては、横延伸後、熱固定処理を行う前に、フィルムを長手方向に１２０〜１８０℃で１〜５％の弛緩処理を行う方法、熱固定処理温度を１００〜２５０℃とする方法、熱固定処理後、幅方向に２〜５％の弛緩処理を行う方法等が好適である。
【００５０】
本発明における高分子フィルムの製造方法は、本発明で規定したフィルム特性を満足する限り、特に限定されるものではない。例えば、ポリエステルフィルムの場合には、ポリエステルを溶融し、シート状に押出し成形された無配向ポリエステルをガラス転移温度以上の温度においてテンターで横延伸後、熱固定処理を施す方法が挙げられる。
【００５１】
具体的には、横延伸温度は８０〜１３０℃が好ましく、特に好ましくは９０〜１２０℃である。また、横延伸倍率は２．５〜６．０倍が好ましく、特に好ましくは３．０〜５．５倍である。延伸倍率が高すぎると、得られるフィルムのヘイズが高くなり、フィルムの透明性が低下しやすくなる。その結果、コントラストが低下し、透過光による目視検品での欠点検出精度も低下しやすくなり、好ましくない。一方、延伸倍率が低すぎると延伸張力も小さくなるため、得られるフィルムにおいて二軸の屈折率の異方性（△Ｎ）が小さくなり、その結果、リターデーション値が小さくなりやすくなるので好ましくない。
【００５２】
本発明において、横延伸後熱固定処理を行う前にフィルムを長手方向に弛緩処理することは、フィルムのコントラストの低下を抑制するのに有効である。長手方向の弛緩処理温度は９０〜２００℃が好ましく、特に好ましくは１２０〜１８０℃である。弛緩量は横延伸条件により異なるが１〜１０％程度であり、弛緩処理後のフィルムの、１２０℃における長手方向および幅方向の熱収縮率が５％以下となるように、弛緩量及び弛緩温度を設定することが好ましい。
【００５３】
続く熱固定処理において、熱固定処理温度は１００〜２５０℃が好ましく、特に好ましくは１８０〜２４５℃である。熱固定処理において、まず幅方向の長さを変えずに熱固定処理を行い、さらに幅方向の弛緩処理を１〜１０％、特に２〜５％にすることによって、コントラストの低下を抑制することができる。
【００５４】
本発明の高分子フィルムは、粘着剤層、離型層、帯電防止層などの当該フィルム上に形成される層との接着性、耐水性、耐薬品性等が改良する目的で、フィルム表面を公知の方法で表面処理、すなわちコロナ放電処理（空気中、窒素中、炭酸ガス中など）や易接着処理を行なってもよい。易接着処理は、公知の各種の方法を用いることができ、フィルム製造工程中で、あるいは一軸または二軸延伸後のフィルムに公知の各種易接着剤を塗布する方法などが好適に採用される。
【００５５】
本発明における表面保護フィルムは、本発明の高分子フィルムの片面に粘着剤層または離型層を形成してなるフィルムである。
【００５６】
粘着剤層としては、光学用部材に対して粘着性を有する層、例えば、ポリエステル系、ポリオレフィン系、ポリアミド系等の感熱接着樹脂からなる層；アクリル系、ポリエステル系、ウレタン系、ポリエーテル系、ゴム系等の感圧接着樹脂からなる層；あるいは飽和ポリエステル樹脂、ポリウレタン系樹脂、ポリブタジエンポリオール、ポリオレフィンポリオール、官能基含有アクリル共重合体等の官能基を有する樹脂に硬化剤を配合して製膜し、部分架橋または不完全架橋させたフィルム；ポリ塩化ビニルに可塑剤を例えば２０重量％以上配合した軟質ポリ塩化ビニルフィルム；飽和ポリエステル樹脂フィルム；アクリル系共重合体フィルム；ブチルゴム、ウレタンゴム、ブタジエン系ゴム（ポリブタジエンゴム、スチレン−ブタジエンゴム、スチレン−ブタジエン−スチレンブロック共重合体等）、スチレン−イソプレン−スチレンゴムなどの合成ゴムを製膜して得られたフィルム；低分子量ポリエチレン、アタクチックポリプロピレン、塩素化ポリプロピレンなどのポリオレフィン系樹脂を製膜して得られたフィルム；エチレン−酢酸ビニル共重合体、エチレン−アクリル酸共重合体、エチレン−アクリル酸エステル共重合体などのエチレン系共重合体を製膜して得られたフィルムなどが挙げられる。
【００５７】
表面保護フィルムにリワーク（ｒｅｗｏｒｋ）性が求められる場合には、粘着剤層は可剥性（剥離が容易）を有する材料を選択し、表面保護フィルムに永久接着が求められる場合には強い接着力または粘着力が得られる材料を選択する。粘着剤層の厚さは、通常１〜５０μｍ程度に設定する。
【００５８】
また、本発明の表面保護フィルムを偏光板の粘着剤層側に貼りつけて使用するる場合には、上記の高分子フィルムの片面（偏光板の粘着剤層側）に離型層を形成させることが必要である。前記離型層は、シリコーン樹脂およびフッ素樹脂の中から選ばれた１種以上を主成分として含有することが好ましい。
【００５９】
シリコーン樹脂としては、一般に離型剤として知られたものを用いることができ、「シリコーン材料ハンドブック」（東レダウコーニング編、１９９３．８）などに記載の中から選んで使用することができる。一般的なシリコーン樹脂としては、熱硬化型または電離放射線硬化型が用いられる。熱硬化型としては、例えば縮合反応型および付加反応型のもの、電離放射線硬化型としては、紫外線もしくは電子線硬化型のもの等、いずれの反応型のものも用いることができる。
【００６０】
上記縮合反応型のシリコーン樹脂としては、例えば、末端−ＯＨ基を持つポリジメチルシロキサンと末端−Ｈ基を持つポリジメチルシロキサン（ハイドロジェンシラン）を有機錫触媒（例えば、有機錫アシレート触媒）を用いて縮合反応させ、三次元架橋構造をつくるものが挙げられる。
【００６１】
付加反応型のシリコーン樹脂としては、例えば、末端にビニル基を導入したポリジメチルシロキサンとハイドロジェンシランを白金触媒を用いて反応させ、三次元架橋構造をつくるものが挙げられる。
【００６２】
紫外線硬化型のシリコーン樹脂としては、例えば、最も基本的なタイプとして通常のシリコーンゴム架橋と同じラジカル反応を利用するもの、アクリル基を導入して光硬化させるもの、紫外線でオニウム塩を分解して強酸を発生させ、これによりエポキシ環を開裂させて架橋させるもの、ビニルシロキサンへのチオールの付加反応で架橋させるもの等が挙げられる。電子線は紫外線よりもエネルギーが強く、紫外線硬化の場合のように開始剤を用いずともラジカルによる架橋反応が起こる。
【００６３】
上記の硬化型シリコーン樹脂は、その重合度が５０〜２０万程度、特に１０００〜１０万程度のものが好ましく、これらの具体例としては、信越化学工業（株）製のＫＳ−７１８、−７７４、−７７５、−７７８、−７７９Ｈ、−８３０、−８３５、−８３７、−８３８、−８３９、−８４１、−８４３、−８４７、−８４７Ｈ、Ｘ−６２−２４１８、−２４２２、−２１２５、−２４９２、−２４９４、−５０４８、−４７０、−２３６６、−６３０、Ｘ−９２−１４０、−１２８、ＫＳ−７２３Ａ・Ｂ、−７０５Ｆ、−７０８Ａ、−８８３、−７０９、−７１９、東芝シリコン（株）製のＴＰＲ−６７０１、−６７０２、−６７０３、−３７０４、−６７０５、−６７２１、−６７２２、−６７００、ＸＳＲ−７０２９、ＹＳＲ−３０２２、ＹＲ−３２８６、ダウコーニング（株）製のＤＫ−Ｑ３−２０２、−２０３、−２０４、−２０５、−２１０、−２４０、−３００３、−３０５７、ＳＦＸＦ−２５６０、東レ・ダウコーニング・シリコーン（株）製のＳＤ−７２２６、−７２２９、−７３２０、ＢＹ−２４−９００、−１７１、−３１２、−３７４、ＳＲＸ−３７５、ＳＹＬ−ＯＦＦ２３、ＳＲＸ−２４４、ＳＥＸ−２９０、アイ・シー・アイ・ジャパン（株）製のＳＩＬＣＯＬＥＡＳＥ４２５等を挙げることができる。
【００６４】
また、特開昭４７−３４４４７号公報、特公昭５２−４０９１８号公報等に記載のシリコーン樹脂も用いることができる。更には、これらの硬化型シリコーン樹脂は、一種を単独で用いてもよいし、二種以上を併用してもよい。
【００６５】
フッ素樹脂としては、公知の離型用のものを用いることができる。この様なフッ素樹脂としては、例えばフッ素含有ビニル重合性単量体からなる重合体（オリゴマーを含む）またはその共重合体、またはフッ素含有ビニル重合性単量体とフッ素原子で置換されたアルキル基、官能基等を含まないビニル重合性単量体の少なくとも１種との共重合体、または、これらの混合物であってフッ素原子を５〜８０モル％有するものが挙げられる。
【００６６】
上記フッ素含有ビニル重合性単量体からなる重合体としては、これらの具体例として、ポリ［２−（パーフルオロノネニルオキシ）エチルメタクリレート］、ポリ［２−（パーフルオロノネニルオキシ）エチルアクリレート］、ポリ［２−（パーフルオロノネニルオキシベンゾイルオキシ）エチルメタクリレート］、ポリ［２−（パーフルオロノネニルオキシベンゾイルオキシ）エチルアクリレート］、ポリ［２，２，２−トリフルオロエチルメタクリレート］、ポリ［２，２，２−トリフルオロエチルアクリレート］、ポリ［２，２，３，３，３−ペンタフルオロプロピルメタクリレート］、ポリ［２，２，３，３，３−ペンタフルオロプロピルアクリレート］、ポリ［１−メチル−２，２，３，３，４，４−ヘキサフルオロブチルメタクリレート］、ポリ［１−メチル−２，２，３，３，４，４−ヘキサフルオロブチルアクリレート］、ポリ［パーフルオロヘプチルエチルメタクリレート］、ポリ［パーフルオロヘプチルエチルアクリレート］、ポリ［パーフルオロヘプチルビニルエーテル］、ポリ［α，β，β−トリフルオロスチレン］、ポリフッ化ビニリデン、ポリヘキサフルオロプロピレン、ポリテトラフルオロエチレン等が挙げられる。
【００６７】
上記フッ素含有ビニル重合性単量体と共重合し得る、フッ素原子で置換されたアルキル基、官能基等を含まないビニル重合性単量体としては、炭化水素系ビニル重合性単量体、炭化水素系非共役ジビニル重合性単量体、官能基含有ビニル重合性単量体等の化合物が挙げられる。具体的には、下記に例示した化合物の中から選択されるが、特に限定されるものではない。
【００６８】
炭化水素系ビニル重合性単量体としては、例えばアクリル酸メチル、アクリル酸プロピル、アクリル酸ブチル、アクリル酸イソアミル、アクリル酸２−エチルヘキシル、アクリル酸オクチル、アクリル酸オクタデシル、アクリル酸ラウリル、アクリル酸セシル、アクリル酸Ｎ，Ｎ−ジエチルアミノエチル、メタクリル酸メチル、メタクリル酸プロピル、メタクリル酸ブチル、メタクリル酸イソアミル、メタクリル酸２−エチルヘキシル、メタクリル酸オクチル、メタクリル酸オクタデシル、メタクリル酸ラウリル、メタクリル酸セシル、メタクリル酸Ｎ，Ｎ−ジエチルアミノエチル、酢酸ビニル、プロピオン酸ビニル、カプリン酸ビニル、ラウリン酸ビニル、ステアリン酸ビニル、スチレン、α−メチルスチレン、ｐ−メチルスチレン、塩化ビニル、臭化ビニル、塩化ビニリデン、ヘプタン酸アリル、酢酸アリル、カプリン酸アリル、カプロン酸アリル、ビニルメチルケトン、ビニルエチルケトン、１，３−ブタジエン、２−クロロ−１，３−ブタジエン、２，３−ジクロロ−１，３−ブタジエン、イソプレン等が挙げられる。
【００６９】
炭化水素系非共役ジビニル重合性単量体としては、例えば、エチレングリコールジアクリレート、エチレングリコールジメタクリレート、プロピレングリコールジアクリレート、プロピレングリコールジメタクリレート、ジエチレングリコールジアクリレート、ジエチレングリコールジメタクリレート、ポリエチレングリコールジアクリレート、ポリエチレングリコールジメタクリレート、ジビニルベンゼン、ビニルアクリレート、ジブロモネオペンチルグリコールジメタクリレート等が挙げられる。
【００７０】
官能基含有ビニル重合性単量体としては、例えば、アクリル酸、メタクリル酸、アクリルアミド、メタクリルアミド、Ｎ−メチロールアクリルアミド、Ｎ−ブトキシメチルアクリルアミド、ダイアセトンアクリルアミド、メチロールダイアセトンアクリルアミド、２−ヒドロキシエチルアクリレート、２−ヒドロキシエチルメタクリレート、ヒドロキシプロピルアクリレート、３−クロロ−２−ヒドロキシプロピルメタクリレート等が挙げられる。
【００７１】
本発明の高分子フィルムの片面に離型層を設ける場合、離型層の厚みは特に限定されないが、０．０５〜５μｍの範囲が好ましい。塗膜の厚みがこの範囲より薄くなると、離型性能が低下し、満足すべき性能が得られない。逆に、塗膜の厚みがこの範囲より厚くなるとキュアリングに時間がかかり生産上好ましくない。
【００７２】
また、離型層には、本発明の目的を損なわない範囲で公知の添加剤、例えば消泡剤、塗布性改良剤、増粘剤、帯電防止剤、酸化防止剤、紫外線吸収剤、硬化剤、染料等を含有させてもよい。
【００７３】
本発明の粘着剤層または離型層を基材フィルムである上記高分子フィルム表面に形成させる方法は、特に限定されないが、コーティング法が好ましく用いられる。例えば、コーティング法としては、エアドクタコート法、ナイフコート法、ロッドコート法、正回転ロールコート法、リバースロールコート法、グラビアコート法、キスコート法、ビードコート法、スリットオリフェスコート法、キャストコート法などが挙げられる。
【００７４】
また、粘着剤層または離型層の塗膜の乾燥および／または硬化（熱硬化、電離放射線硬化等）は、それぞれ個別又は同時に行うことができる。同時に行う場合には、８０℃以上の温度で行うことが好ましい。乾燥および硬化の条件としては、８０℃以上で１０秒以上が好ましい。乾燥温度が８０℃未満または硬化時間が１０秒未満では塗膜の硬化が不完全であり、塗膜が脱落しやすくなるため好ましくない。
【００７５】
さらに、本発明の粘着剤層を設けた表面保護フィルム及び離型層を設けた表面保護フィルムには、静電気の発生を抑制する目的で帯電防止層を設けることが好ましい。帯電防止層は、帯電防止樹脂組成物を塗布することによって形成される。
【００７６】
この帯電防止樹脂組成物に含まれる帯電防止剤には、例えば、第４級アンモニウム塩、ピリジニウム塩、第１〜３級アミノ基等のカチオン性基を有する各種のカチオン性帯電防止剤；スルホン酸塩基、硫酸エステル塩基、リン酸エステル塩基、ホスホン酸塩基等のアニオン性基を有するアニオン系帯電防止剤；アミノ酸系、アミノ硫酸エステル系等の両性帯電防止剤；アミノアルコール系、グリセリン系、ポリエチレングリコール系等のノニオン性の帯電防止剤等の各種界面活性剤型帯電防止剤；更には上記のような帯電防止剤を高分子量化した高分子型帯電防止剤等が挙げられる。また、第３級アミノ基や第４級アンモニウム基を有し、電離放射線により重合可能なモノマーやオリゴマー、例えば、Ｎ，Ｎ−ジアルキルアミノアルキル（メタ）アクリレートモノマー、それらの第４級化合物等の重合性帯電防止剤も使用できる。
【００７７】
帯電防止層中には、帯電防止樹脂組成物の他に帯電防止層の塗膜の強度、基材フィルムへの密着性、耐水性、耐溶剤性、ブロッキング性等の向上のために、バインダーとして熱可塑性ポリエステル樹脂、アクリル樹脂、ポリビニル系樹脂等の熱可塑性樹脂および／または熱硬化性アクリル樹脂、ウレタン樹脂、メラミン樹脂、エポキシ樹脂等の熱硬化性樹脂等の高分子化合物を含有させることが好ましい。さらに、架橋剤として、メチロール化あるいはアルキロール化したメラミン系、尿素系、グリオキザール系、アクリルアミド系等の化合物、エポキシ化合物、ポリイソシアネートの少なくとも１種類を含有させることが特に好ましい。
【００７８】
帯電防止層の表面固有抵抗値は、使用する目的に応じ任意に設定することができる。例えば、通常のほこりが付着しない程度の場合には、１×１０１１Ω／□程度である。
【００７９】
帯電防止層を基材フィルム表面に形成させる方法としては、特に限定されないが、コーティング法が好ましく用いられる。例えばコーティング法としては、エアドクタコート法、ナイフコート法、ロッドコート法、正回転ロールコート法、リバースロールコート法、グラビアコート法、キスコート法、ビードコート法、スリットオリフェスコート法、キャストコート法などが挙げられる。
【００８０】
また、帯電防止層の乾燥温度は、６０〜１５０℃の範囲であればよく、８０〜１３０℃の範囲が好ましい。乾燥温度が６０℃未満であると、硬化時間が長くなり、生産性が低下するので好ましくない。
【００８１】
帯電防止層は基材フィルム表面に形成されるが、粘着剤層または離型層は、前記帯電防止層上に形成しても、基材フィルムの帯電防止層形成面と反対面上に形成してもよい。
【００８２】
本発明の粘着剤層を設けた表面保護フィルムの層構成の例を図１〜図３に、本発明の離型層を設けた表面保護フィルムの層構成の例を図４〜図６にそれぞれ示す。ここで、１は粘着剤層を設けた表面保護フィルム、２は離型層を設けた表面保護フィルム、１１は高分子フィルム、１２は粘着剤層、１３は帯電防止層、１４は離型層である。
【００８３】
ここで示される粘着剤層を設けた表面保護フィルムの層構成は、粘着剤層／高分子フィルム、粘着剤層／高分子フィルム／帯電防止層、粘着剤層／帯電防止層／高分子フィルムである。また、離型層を設けた表面保護フィルムの層構成は、離型層／高分子フィルム、離型層／高分子フィルム／帯電防止層、離型層／帯電防止層／高分子フィルムである。
【００８４】
また、本発明の粘着剤層を設けた表面保護フィルムおよび離型層を設けた表面保護フィルムを光学用部材に貼り付けた状態を図７に示す。ここで３は光学用部材、１５はトリアセチルセルロース（ＴＡＣ）、１６は偏光膜、１７は偏光板の粘着剤層である。ここでは、粘着剤層／高分子フィルムの層構成を有する表面保護フィルム、離型層／高分子フィルムの層構成を有する表面保護フィルムを使用している。
【００８５】
【実施例】
次に実施例をあげて本説明をさらに説明する。但し、本発明は、その要旨を逸脱しない限り以下の実施例に限定されるものではない。なお、以下の実施例、比較例における物性の評価方法は以下の通りである。
【００８６】
＜１２０℃における熱収縮率＞
測定したいフィルムの軸方向（長手方向または幅方向）に沿って２５０ｍｍ、直交方向に幅１０ｍｍにフィルムを短冊状に正確に切り出した。短冊の長辺の両端から２５ｍｍの位置にそれぞれ印を付け（間隔：２００ｍｍ）、５ｇｆ／１０ｍｍの一定張力下で印の間隔Ａ（ｍｍ）を読み取る。続いて、無荷重下で３０分間、１２０℃の雰囲気中のオーブンで熱処理した後、印の間隔Ｂ（ｍｍ）を５ｇｆ／１０ｍｍの一定張力下で読み取る。印の間隔はステンレス製定規を用い、０．５ｍｍ刻みで読み取り、３回の測定値の平均値を求め、小数点第２位の桁を四捨五入した。フィルムの長手方向および幅方向の熱収縮率を以下の式により求め、熱収縮率の大きい方の測定値をは、本発明でいう１２０℃における熱収縮率とした。
１２０℃における熱収縮率（％）＝（Ａ−Ｂ）／Ａ×１００
【００８７】
＜ヘイズ＞
日本電色工業株式会社製濁度計（ＮＤＨ−３００）を用い、５個所のサンプルをとり、その平均値を求めた。
【００８８】
＜コントラストの値＞
フィルム形状がロール状の場合は、長手方向に５００ｍｍ、幅方向には全幅の長方形を切り出す。そして、図８に示すように、同一端辺を含む幅方向（テンター方向）に１００ｍｍ四方の正方形を該長方形の２頂点およびその中心を含む３箇所以上で切り出す。図８において、２１は長手方向、２２は幅方向、２３は端辺、２４は頂点、２５は頂点の中心である。次に、２つの偏光子の光軸を平行の状態にし、予め、どちらかの偏光子の偏光方向と底辺を正確に平行にしたサンプルホルダーへ１００ｍｍ四方のフィルムサンプルを設置し、２つの偏光子およびフィルムサンプルを透過してきた光の透過光量を測定する。同様に、２つの偏光子の光軸を直行の状態にしたときの透過光量を測定し、下記式（１）に従い各フィルムサンプルごとのコントラストを計算する。この様にして得られた各フィルムサンプルごとのコントラストの値を求めた。
Ｃ＝Ｙ１／Ｙ２・・・（１）
（ここで、Ｃはコントラスト、Ｙ１は２つの偏光子の光軸を平行状態にし、高分子フィルムをその２つの偏光子の間に挿入したときの透過光量、Ｙ２は２つの偏光子の光軸を直交状態にし、高分子フィルムをその２つの偏光子の間に挿入したときの透過光量を示す。）
【００８９】
＜リターデーション値＞
リターデーション値は、フィルム上の直交する二軸の屈折率の異方性（△Ｎ＝｜Ｎｘ−Ｎｙ｜）とフィルム厚みｄ（ｎｍ）との積（△Ｎ×ｄ）で定義されるパラメーターであり、光学的等方性、異方性を示す尺度である。二軸の屈折率の異方性（△Ｎ）は、以下の方法により求める。二枚の偏光板を用いて、フィルムの配向軸方向を求め、配向軸方向がほぼ直交するように４ｃｍ×２ｃｍの長方形を切り出し、測定用サンプルとした。このサンプルについて、ほぼ直交する二軸の屈折率をアッベ屈折率計（アタゴ社製、アタゴ４Ｔ）によって求め、前記二軸の屈折率差の絶対値（｜Ｎｘ−Ｎｙ｜）を屈折率の異方性（△Ｎ）とした。フィルムの厚みｄ（ｎｍ）は電気マイクロメータ（ファインリューフ社製、ミリトロン１２４５Ｄ）を用いて測定し、単位をｎｍに換算した。屈折率の異方性（△Ｎ）とフィルムの厚みｄ（ｎｍ）の積（△Ｎ×ｄ）より、リターデーション値を求めた。
【００９０】
＜加工特性＞
基材フィルムに粘着加工処理を施した際の平面性の乱れ、カールの発生を目視評価し３段階で示した。
〇：平面性の乱れ、カールの発生無し
△：平面性の乱れ、カールの発生ほとんどなし
×：平面性の乱れ、カールの発生有り。
【００９１】
＜検品性＞
基材フィルムを偏光板や位相差板の表面保護フィルムとして用いた場合のクロスニコル法による検品での異物、キズの検出精度を３段階評価した。
〇：全く問題なく検出できる
△：ほぼ問題なく検出できる
×：検出できない
【００９２】
実施例１
平均粒径２．５μｍの粒子を０．２０重量％含有するポリエチレンテレフタレートを水冷却した回転急冷ドラム上にフィルム形成ダイを通して押出し、未延伸フィルムを作製した。この未延伸フィルムを幅方向に１００℃で４．０倍延伸した後、１５０℃で熱固定を行い、更に１３０℃から１００℃に冷却しながら、幅方向に３％弛緩処理を行い、４０μｍの一軸延伸ポリエチレンテレフタレートフィルムを得た。この一軸延伸ポリエチレンテレフタレートフィルムは、コントラスト値が１１５５、１２０℃における熱収縮率が２．８％、ヘイズが１６．３％、リターデーション値が３８７０ｎｍであった。
【００９３】
この厚み４０μｍの一軸延伸ポリエチレンテレフタレートフィルムに、エチレン−酢酸ビニル系接着剤１００重量部に対して溶剤としてトルエン４００重量部を加えた塗布液を、乾燥膜厚１０μｍになるように塗布して乾燥固化させ、粘着剤層を積層した表面保護フィルムを得た。
【００９４】
実施例２
平均粒径２．５μｍの粒子を０．２０重量％含有するポリエチレンテレフタレートを水冷却した回転急冷ドラム上にフィルム形成ダイを通して押出し、未延伸フィルムを作製した。この未延伸フィルムを幅方向に１００℃で４．０倍延伸した後、１１０℃で熱固定を行い、更に１１０℃から９０℃に冷却しながら、幅方向に３％弛緩処理を行い、４０μｍの一軸延伸ポリエチレンテレフタレートフィルムを得た。この一軸延伸ポリエチレンテレフタレートフィルムは、コントラスト値が１２１０、１２０℃における熱収縮率が５．２％、ヘイズが１６．８％、リターデーション値が３７５０ｎｍであった。実施例１と同様に、粘着剤層を積層した表面保護フィルムを得た。
【００９５】
実施例３
実施例１と同様の厚さ４０μｍの一軸延伸ポリエチレンテレフタレートフィルム上に、第４級アンモニウム塩型カチオン性高分子化合物（日東紡績（株）製、ＰＡＳ１０Ｌ）３５重量部、共重合ポリエステル樹脂５０重量部、メチロール化メラミン樹脂（住友化学工業（株）製、ＳＵＭＩＭＡＬＭ−４０Ｗ）１０重量部、エポキシ変性シリコーン（信越化学工業（株）製、Ｐｏｌｎ  ＭＦ−１８）５重量部を混合し、２重量％の帯電防止層用の塗工液を作成し、この塗液を４ｇ／ｍ２  （塗液量ベース）の塗布量で塗布し、１２０℃、１分間加熱乾燥および硬化反応を行わせ帯電防止層を形成した。
【００９６】
次いで、この一軸延伸ポリエチレンテレフタレートフィルムの帯電防止層を形成していない面に、実施例１と同様にして粘着剤層を形成し表面保護フィルムを得た。この表面保護フィルムを用いた偏光板の検品性は実施例１と同様に良好であった。また、この表面保護フィルムは、剥離する際に静電気の発生がなく、ゴミの付着がほとんどなく良好であった。
【００９７】
実施例４
実施例３において、一軸延伸ポリエチレンテレフタレートフィルムの帯電防止層を形成した面に実施例１と同様の粘着剤層を形成し、表面保護フィルムを得た。この表面保護フィルムを用いた偏光板の検品性は良好であった。また、この表面保護フィルムは、剥離する際に静電気の発生がなく、ゴミの付着がほとんどなく良好であった。
【００９８】
実施例５
実施例１において、エチレン−酢酸ビニル系粘着剤含有塗布液の代わりに、付加反応型の離型剤（信越化学工業（株）製、ＫＳ−７７８、固形分３０％トルエン溶解液）１００重量部と、白金触媒（信越化学工業（株）製、ＰＬ−５０Ｔ）１重量部とをトルエンに溶解して、全体の固形分が３重量％のトルエン溶液（離型層塗設用塗液）を用い、６ｇ／ｍ２  （塗液量ベース）の塗布量で塗布し、１２０℃、１分間加熱乾燥および付加重合反応を行わせ、離型層を設けた表面保護フィルムを作製した。この表面保護フィルムを用いた偏光板の検品性は実施例１と同様に良好であった。
【００９９】
実施例６
付加反応型の離型剤の代わりに、ＵＶ硬化型の離型剤（信越化学工業（株）製、Ｘ−６２−５０４８）を用いた以外は実施例７と同様に実施し、離型層を設けた表面保護フィルムを作製した。この表面保護フィルムを用いた偏光板の検品性は良好であった。
【０１００】
実施例７
実施例５において、付加反応型の離型剤含有塗布液の代わりに、フッ素系溶剤（３Ｍ社製、ＦＣ−７７「フロリナート」）を希釈溶媒として、これにフッ素含有樹脂として含フッ素アクリル樹脂（ネオス（株）製、ＲＢＸ−７２５ＮＦ「フリリース」）とフッ素系オイル（デュポン社製、１５７ＦＳ−Ｍ「クライトックス」）を重量固形分比が２０：８０の組成で均一分散させ、固形分濃度が３．０重量％の塗布液を０．４μｍ／ｄｒｙとなるように塗布し、１２０℃、１分間加熱乾燥させ、離型層を設けた表面保護フィルムを作製した。この表面保護フィルムを用いた偏光板の検品性は良好であった。
【０１０１】
実施例８
実施例３で得られた帯電防止層が形成された一軸延伸ポリエチレンテレフタレートフィルムの、帯電防止層を形成していない面に、実施例５と同様の付加反応型の離型層を形成し、離型層を設けた表面保護フィルムを作製した。この表面保護フィルムを用いた偏光板の検品性は良好であった。また、この表面保護フィルムは、剥離する際に静電気の発生がなく、ゴミの付着がほとんどなく良好であった。
【０１０２】
実施例９
実施例８において、一軸延伸ポリエチレンテレフタレートフィルムの帯電防止層を形成した面に、実施例５と同様の付加反応型の離型層を形成し、離型層を設けた表面保護フィルムを作製した。この表面保護フィルムを用いた偏光板の検品性は良好であった。また、この表面保護フィルムは、剥離する際に静電気の発生がなく、ゴミの付着がほとんどなく良好であった。
【０１０３】
比較例１
平均粒径２．５μｍの粒子を０．３０重量％含有するポリエチレンテレフタレートを水冷却した回転急冷ドラム上にフィルム形成ダイを通して押出し、未延伸フィルムを作製した。この未延伸フィルムを幅方向に１００℃で４．０倍延伸した後、１５０℃で熱固定を行い、更に１３０℃から１００℃に冷却しながら、幅方向に３％弛緩処理を行い、４０μｍの一軸延伸ポリエチレンテレフタレートフィルムを得た。この一軸延伸ポリエチレンテレフタレートフィルムは、コントラスト値が６８、１２０℃における熱収縮率が２．９％、ヘイズが２６．３％、リターデーション値が３７３０ｎｍであった。実施例１と同様に、粘着剤層を積層した表面保護フィルムを得た。
【０１０４】
比較例２
平均粒径２．５μｍの粒子を０．０４重量％含有するポリエチレンテレフタレートを水冷却した回転急冷ドラム上にフィルム形成ダイを通して押出し、未延伸フィルムを作製した。この未延伸フィルムを幅方向に１００℃で４．０倍延伸した後、１５０℃で熱固定を行い、更に１３０℃から１００℃に冷却しながら、幅方向に３％弛緩処理を行い、４０μｍの一軸延伸ポリエチレンテレフタレートフィルムを得た。この一軸延伸ポリエチレンテレフタレートフィルムは、コントラスト値が４５６０、１２０℃における熱収縮率が２．７％、ヘイズが４．３％、リターデーション値が３７９０ｎｍであった。実施例１と同様に、粘着剤層を積層した表面保護フィルムを得た。
【０１０５】
比較例３
平均粒径２．５μｍの粒子を０．０３重量％含有するポリエチレンテレフタレートを水冷却した回転急冷ドラム上にフィルム形成ダイを通して押出し、未延伸フィルムを作製した。この未延伸フィルムを長手方向に９０℃で３．２倍延伸した後、幅方向に１００℃で４．０倍延伸し、２２０℃で熱固定した４０μｍの二軸延伸ポリエチレンテレフタレートフィルムを用いた以外は、実施例１と同様に実施した。得られた二軸延伸ポリエチレンテレフタレートフィルムは、コントラスト値が６９で、１２０℃における熱収縮率が０．６％、ヘイズが２．５％、リターデーション値が９００ｎｍであった。この表面保護フィルムは、幅方向でのコントラストの差が大きく、更に光の干渉が観察され、この表面保護フィルムを用いた偏光板の検品性は不良であった。
【０１０６】
【表１】
0003570545.tif 000002
【０１０７】
【発明の効果】
本発明の高分子フィルムは、コントラストの値が７０〜２０００であり、かつリターデーション値１０００ｎｍ以上、さらにヘイズが１０．０〜２５．０％であるため、光学的評価等の検査時に、偏光板や位相差板などの検品の両面に設けられた表面保護フィルムを剥離することなしに、検品の欠点を見易くすることが可能である。さらに、高分子フィルムの傷や異物の発生を高度に低減する必要がなく、さらにポリエチレンテレフタレートのような安価で総合性能の優れた樹脂を用いることで、コストダウンが可能となり、検査後廃棄される表面保護フィルムとして好適である。
【図面の簡単な説明】
【図１】本発明の粘着剤層を設けた表面保護フィルムの一例を模式的に示した断面図である。
【図２】本発明の粘着剤層を設けた表面保護フィルムの一例を模式的に示した断面図である。
【図３】本発明の粘着剤層を設けた表面保護フィルムの一例を模式的に示した断面図である。
【図４】本発明の離型層を設けた表面保護フィルムの一例を模式的に示した断面図である。
【図５】本発明の離型層を設けた表面保護フィルムの一例を模式的に示した断面図である。
【図６】本発明の離型層を設けた表面保護フィルムの一例を模式的に示した断面図である。
【図７】図１、図４の粘着剤層を設けた表面保護フィルム、離型層を設けた表面保護フィルムを、光学用部材の一例として偏光板に貼り合わせた例を模式的に示した断面図である。
【図８】＜高分子フィルムのコントラスト値＞の評価における、サンプリング方法の概略図である。
【符号の説明】
１  粘着剤層を設けた表面保護フィルム
２  離型層を設けた表面保護フィルム
３  光学用部材
１１  高分子フィルム
１２  粘着剤層
１３  帯電防止層
１４  離型層
１５  トリアセチルセルロース（ＴＡＣ）
１６  偏光膜
１７  偏光板の粘着剤層
２１  長手方向
２２  幅方向
２３  端辺
２４  頂点
２５  頂点の中心
【図１】
0003570545.tif 000003
【図２】
0003570545.tif 000004
【図３】
0003570545.tif 000005
【図４】
0003570545.tif 000006
【図５】
0003570545.tif 000007
【図６】
0003570545.tif 000008
【図７】
0003570545.tif 000009
【図８】
0003570545.tif 000010